(57)【要約】【課題】ＮＧＮに適用可能な複数電話番号サービスを提供するための通信システム、セッション制御サーバ、および通信方法を実現する。【解決手段】通信システムは、加入者ごとに、該加入者に割り当てられた電話番号である契約者番号と、該契約者番号に追加された電話番号である追加番号とを対応付けて記憶しておき、該契約者番号と該追加番号の対応付けを利用した所定のサービスを提供し、該追加番号を発信者の番号とする接続要求信号を受信したならば、該追加番号に対応する契約者番号を読み出し、該接続要求信号に該契約者番号を付加して送信する第１のセッション制御サーバと、前記第１のセッション制御サーバから前記接続要求信号を受信し、該接続要求信号に前記契約者番号が付加されていれば、該契約者番号を利用した所定のサービスを提供する第２のセッション制御サーバと、を有する。【選択図】図２
2010219656.tif 000002
【特許請求の範囲】
【請求項１】
加入者ごとに、該加入者に割り当てられた電話番号である契約者番号と、該契約者番号に追加された電話番号である追加番号とを対応付けて記憶しておき、該契約者番号と該追加番号の対応付けを利用した所定のサービスを提供し、該追加番号を発信者の番号とする接続要求信号を受信したならば、該追加番号に対応する契約者番号を読み出し、該接続要求信号に該契約者番号を付加して送信する第１のセッション制御サーバと、
前記第１のセッション制御サーバから前記接続要求信号を受信し、該接続要求信号に前記契約者番号が付加されていれば、該契約者番号を利用した所定のサービスを提供する第２のセッション制御サーバと、
を有する通信システム。
【請求項２】
前記第１のセッション制御サーバと前記第２のセッション制御サーバの少なくとも一方は、前記接続要求信号に基づき確立した呼について、前記契約者番号を発信元の電話番号として呼詳細記録情報を作成する、請求項１に記載の通信システム。
【請求項３】
前記第１のセッション制御サーバまたは第２のセッション制御サーバにより作成された前記呼詳細記録情報を取得し、該呼詳細記録情報に基づいて契約者に課金するための課金情報を作成する課金装置を更に有する、請求項２に記載の通信システム。
【請求項４】
前記第１のセッション制御サーバは、前記加入者ごとに契約した電話番号を記載した加入者テーブルと、該電話番号ごとに、契約者番号か追加番号かを示す区分と、該追加番号に対応する契約者番号とを示す個別テーブルとを記憶しておき、
前記接続要求信号の発信元の電話番号が前記加入者テーブルに記載されていれば、前記個別テーブルを参照し、該電話番号が追加番号であるか否かを判断し、追加番号であれば、該追加番号に対応する前記契約者番号を読み出す、請求項１乃至３のいずれか１項に記載の通信システム。
【請求項５】
加入者ごとに、該加入者に割り当てられた電話番号である契約者番号と、該契約者番号に追加された電話番号である追加番号とを対応付けて記憶する記憶手段と、
前記追加番号を発信者の番号とする接続要求信号を受信すると、該追加番号に対応する契約者番号を前記記憶手段から読み出し、該接続要求信号に該契約者番号を付加して送信する呼処理手段と、
前記記憶手段に記憶された前記契約者番号と前記追加番号の対応付けを利用した所定のサービスを提供するサービス提供手段と、
を有するセッション制御サーバ。
【請求項６】
前記サービス提供手段は、前記呼処理手段により受信された前記接続要求信号に基づき確立した呼については、前記契約者番号を発信元の電話番号として呼詳細記録情報を作成する呼詳細情報作成手段を更に有する、請求項５に記載のセッション制御サーバ。
【請求項７】
前記記憶手段は、前記加入者ごとに契約した電話番号を記載した加入者テーブルと、該電話番号ごとに、契約者番号か追加番号かを示す区分と、該追加番号に対応する契約者番号とを示す個別テーブルとを記憶し、
呼処理手段は、前記接続要求信号の発信元の電話番号が前記加入者テーブルに記載されていれば、前記個別テーブルを参照し、該電話番号が追加番号であるか否かを判断し、追加番号であれば、該追加番号に対応する前記契約者番号を読み出す、請求項５又は６に記載のセッション制御サーバ。
【請求項８】
前記接続要求信号を受信する受信手段と、
前記受信手段により受信された前記接続要求信号に前記契約者番号が付加されていれば、該契約者番号を利用した所定のサービスを提供するサービス提供手段と、
を有するセッション制御サーバ。
【請求項９】
加入者ごとに、該加入者に割り当てられた電話番号である契約者番号と、該契約者番号に追加された電話番号である追加番号とを対応付けて記憶しておき、
該契約者番号及び追加番号を利用した所定のサービスを提供し、
該追加番号を発信者の番号とする接続要求信号を受信したならば、該追加番号に対応する契約者番号を読み出し、
該接続要求信号に該契約者番号を付加して送信し、
前記接続要求信号を受信し、
該接続要求信号に前記契約者番号が付加されていれば、該契約者番号を利用した所定のサービスを提供する、通信方法。
【請求項１０】
前記接続要求手段に基づき確立した呼については、前記契約者番号を発信元の電話番号として呼詳細記録情報を作成する、請求項９に記載の通信方法。
【発明の詳細な説明】
【技術分野】
【０００１】
本発明は、次世代ネットワーク（以下、ＮＧＮ:Next Generation Network）における複数電話番号サービスに関する。
【背景技術】
【０００２】
非特許文献１に記載のように、ＮＧＮ（Next Generation Network）においては、光ファイバとＩＰ（Internet Protocol）通信との融合などにより、高品質で、柔軟な、セキュリティの高いコミュニケーションサービスを提供することが望まれている。また、ＮＧＮにおけるサービスは、信頼性が高く、安定性に優れ、安心できる、付加価値の高いものであることが求められている。
【０００３】
既に、日本電信電話株式会社（登録商標）は、電話線をそのまま利用して、デジタル信号を伝送するＩＮＳネット６４（登録商標）サービスを提供している。同社は、このサービスの追加番号サービス「ｉ・ナンバー」（登録商標）にて、加入者が一契約で複数の電話番号を持てるサービスを開始した。このＩＮＳネット６４サービスでは、物理的な回線として「２Ｂ＋Ｄ」が提供されており、同時に２つの通話を行うことができる。「ｉ・ナンバー」サービスでは、契約者ごとに登録できる電話番号数は、最大３つである。
【０００４】
この「ｉ・ナンバー」サービスは、加入者として二世帯住宅や小規模商店等の住人を想定している。例えば、このサービスは、「二世帯同居で世帯別の電話番号を持ちたい」、「ＦＡＸ電話番号を別に持ちたい」、「自営業などで仕事とプライベートで電話を使い分けたい」、といった要望を持つユーザに利用されている。
【０００５】
ＮＧＮが発展するには、従来、日本電信電話株式会社が「ＩＮＳネット６４サービス」で提供してきた複数電話サービス（追加番号サービス：「ｉ・ナンバー」）と同等以上のサービスが、提供されることが望ましい。
【先行技術文献】
【非特許文献】
【０００６】
【非特許文献１】「ＮＴＴ技術ジャーナル 2007 Vol.19 No12 『豊かなブロードバンド・ユビキタス社会を拓くＮＧＮ」、p.36-41
【発明の概要】
【発明が解決しようとする課題】
【０００７】
しかしながら現段階では、ＮＧＮにおいては、「ＩＮＳネット６４サービス」と同等以上の複数電話番号サービスを提供することができない。
【０００８】
例えば、上述したＩＮＳネット６４の「ｉ・ナンバー」サービスでは、複数の電話番号の分の料金を１つにまとめて課金することができた。ＮＧＮにおいても、１つの契約者に複数の電話番号を付与するサービスを実現し、このような態様の課金を可能にすることが好ましい。
【０００９】
ＮＧＮは、パケット転送プレーンとセッション制御プレーンとで構成され、セッション制御プレーンはSSCとISCの２階梯の制御装置により構成されている新しいネットワークである。
【００１０】
ＮＧＮは、パケット転送プレーンとセッション制御プレーンとで構成され、セッション制御プレーンはSSCとISCの２階梯の制御装置により構成されている新しいネットワークである。よって、「INSネット６４サービス」において採用している複数電話番号サービスを実現する方法は適用できず、新たなシステムおよび通信方法を考案する必要がある。
【００１１】
本発明の目的は、ＮＧＮに適用可能な複数電話番号サービスを提供するための通信システム、セッション制御サーバ、および通信方法を実現することである。
【課題を解決するための手段】
【００１２】
上記目的を達成するために、本発明の通信システムは、加入者ごとに、該加入者に割り当てられた電話番号である契約者番号と、該契約者番号に追加された電話番号である追加番号とを対応付けて記憶しておき、該契約者番号と該追加番号の対応付けを利用した所定のサービスを提供し、該追加番号を発信者の番号とする接続要求信号を受信したならば、該追加番号に対応する契約者番号を読み出し、該接続要求信号に該契約者番号を付加して送信する第１のセッション制御サーバと、前記第１のセッション制御サーバから前記接続要求信号を受信し、該接続要求信号に前記契約者番号が付加されていれば、該契約者番号を利用した所定のサービスを提供する第２のセッション制御サーバと、を有する。
【００１３】
本発明の第１の観点にかかるセッション制御サーバは、加入者ごとに、該加入者に割り当てられた電話番号である契約者番号と、該契約者番号に追加された電話番号である追加番号とを対応付けて記憶する記憶手段と、前記追加番号を発信者の番号とする接続要求信号を受信すると、該追加番号に対応する契約者番号を前記記憶手段から読み出し、該接続要求信号に該契約者番号を付加して送信する呼処理手段と、前記記憶手段に記憶された前記契約者番号と前記追加番号の対応付けを利用した所定のサービスを提供するサービス提供手段と、を有する。
【００１４】
本発明の第２の観点にかかるセッション制御サーバは、前記接続要求信号を受信する受信手段と、前記受信手段により受信された前記接続要求信号に前記契約者番号が付加されていれば、該契約者番号を利用した所定のサービスを提供するサービス提供手段と、を有する。
【００１５】
本発明の通信方法は、加入者ごとに、該加入者に割り当てられた電話番号である契約者番号と、該契約者番号に追加された電話番号である追加番号とを対応付けて記憶しておき、該契約者番号及び追加番号を利用した所定のサービスを提供し、該追加番号を発信者の番号とする接続要求信号を受信したならば、該追加番号に対応する契約者番号を読み出し、該接続要求信号に該契約者番号を付加して送信し、前記接続要求信号を受信し、該接続要求信号に前記契約者番号が付加されていれば、該契約者番号についての呼として前記第１のセッション制御サーバと呼制御を実行する、方法である。
【発明の効果】
【００１６】
本発明によれば、第１のセッション制御サーバが、契約者番号と追加番号とを対応付けて記憶しておき、追加番号から接続要求信号を受信すれば、追加番号に対応する契約者番号を接続要求信号に付加して送信し、セッション制御サーバが、契約者番号を利用して所定のサービスを提供するので、ＮＧＮに適用可能な複数電話番号サービスを実現できる。
【図面の簡単な説明】
【００１７】
【図１】本発明の第１の実施形態の複数電話番号サービスの構成図である。
【図２】本発明の第１の実施形態のシステム接続図である。
【図３】本発明の第１の実施形態の電話サービス契約とＳＳＣの動作パターンを示す表である
【図４】本発明の第１の実施形態のＳＳＣの構成を示すブロック図である。
【図５】本発明の第１の実施形態の加入者テーブルの一例である。
【図６】本発明の第１の実施形態のＳＳＣの動作を示すフローチャートである。
【図７】（ａ）本発明の第１の実施形態のＵＮＩ、ＮＮＩの設定箇所を示す図である。（ｂ）本発明の第１の実施形態の追加番号発信時のＵＮＩ／ＮＮＩ設定条件を示す図である。
【図８】（ａ）本発明の第１の実施形態の複数電話番号サービスを示すシーケンス図である。（ｂ）本発明の第１の実施形態の複数電話番号サービスを示すシーケンス図である。
【図９】本発明の第２の実施形態のＳＳＣの構成を示すブロック図である。
【図１０】本発明の第２の実施形態の加入者テーブルの一例である。
【図１１】本発明の第２の実施形態の個別テーブルの一例である。
【図１２】本発明の第２の実施形態のＳＳＣの動作を示すフローチャートである。
【図１３】本発明の第３の実施形態のシステム接続図である。
【発明を実施するための形態】
【００１８】
（第１の実施形態）
本発明を実施するための第１の実施形態について図面を参照して詳細に説明する。
【００１９】
図１に本発明の構成図を示す。ＮＧＮにおいて、複数電話番号サービスは、ＳＳＣ(Subscriber Session Control Server：加入者セッション制御サーバ）４、ＮＡＴ（Network Address Translation）５、端末装置６、電話端末７ａ〜７ｄとの構成で実現される。
【００２０】
図２に本発明のシステム接続図を示す。ＮＧＮ１は、セッション制御プレーン２と、パケット転送プレーン３とで構成されるＱｏＳ(Quality of Service)や、セキュリティを向上させた総合ＩＰ（Internet Protocol）ネットワークである。
【００２１】
ＳＳＣ４は、通信プロトコルとしてＳＩＰを使用するサーバである。ＳＳＣ４は、図４に示すように、端末装置６から受信した接続要求信号をセッション制御プレーンのテーブルの電話番号、ＩＰアドレス、ポート番号と照合し、番号情報の正当性の確認を行い、複数電話番号サービスを提供できるようにする。
【００２２】
図２に戻り、ＮＡＴ５は、端末装置６側のＩＰアドレスをＮＧＮ１側のＩＰアドレスに、また逆にＮＧＮ１側のＩＰアドレスを端末装置６側のＩＰアドレスに、相互に変換する機能を有する装置である。
【００２３】
端末装置６は、電話端末７ａ〜７ｄを収容するＩＰ電話端末装置である。
【００２４】
着信がＰＳＴＮユーザＸ（１５）の場合、接続要求信号は、ＳＳＣ４、ＩＳＣ（ＰＳＴＮ−ＧＷ）８（Intermediate Session Control sever：中継セッション制御サーバのＰＳＴＮゲートウェイ機能）、ＰＴＳＮ１４（Public Switched Telephone Network：公衆交換電話網）を経てユーザＸ（１５）へ送られる。
【００２５】
着信がＮＧＮユーザＹ（１６）の場合、接続要求信号は、ＳＳＣ４〜ＳＳＣ１０または、ＳＳＣ４〜ＩＳＣ（純中継）９（Intermediate Session Control sever：中継セッション制御サーバの純中継機能）〜ＳＳＣ１０、ＮＡＴ１１を経てユーザＹ（１６）へ送られる。
【００２６】
図３は、電話サービス契約とＳＳＣ４の動作パターンをまとめた表である。同図に示すように、電話サービス契約とＳＳＣ４との動作パターンには、３種類ある。
【００２７】
（１）パターン１：追加電話番号（以下、「追加番号」という）の契約がなく、契約者電話番号（以下、「契約者番号」という）のみの契約がある場合。
【００２８】
（２）パターン２：契約者番号および追加電話番号の契約がある場合。
【００２９】
（３）パターン３：契約者番号および追加番号の契約がない場合。
【００３０】
パターン２が、複数電話番号サービスの契約者のパターンである。契約者番号の契約解除のとき、すなわち加入者が電気通信事業者との契約をやめるとき、追加番号も自動的に解除される。これはパターン３に該当する。
【００３１】
パターン１の場合について説明する。ＳＳＣ４は、契約者番号からの発信に対して「許可」する。また、ＳＳＣ４は、追加番号からの発信に対して「不許可」（接続拒否）を端末装置６へ返す。
【００３２】
パターン２の場合の動作について説明する。ＳＳＣ４は、契約者番号からの発信に対して「許可」する。また、ＳＳＣ４は、追加番号からの発信に対して「許可」する。ＳＳＣ４は、接続要求信号に追加番号に対応する契約者番号を示す発信番号情報（契約者番号情報）を付加して、着側のＩＳＣまたはＳＳＣ等へ送出する。
【００３３】
パターン３の場合の動作について説明する。ＳＳＣ４は、契約者番号からの発信に対して「不許可」（接続拒否）を端末装置６へ返す。ＳＳＣ４は、追加番号からの発信に対して「不許可」（接続拒否）を端末装置６へ返す。
【００３４】
ＳＳＣ４は、図４に示すとおり、セッション制御機能部４１と、複数電話番号サービス処理部４２１を持つ複数電話番号サービス制御機能部４２と、加入者テーブル４３１を持つ加入者登録部４３とから構成される。
【００３５】
保守者が、契約情報に基づき、加入者テーブル４３１を作成し、加入者登録部４３へ登録する。
【００３６】
加入者テーブル４３１のうち、ユーザＡの加入者テーブルの例を図５に示す。同図に示すように、この加入者テーブルには、「電話番号」、「ＩＰアドレス」、「ポート番号」、「契約者番号」、および「契約区分」の項目が設けられる。同様の加入者テーブルが加入者ごとに、加入者登録部４３に登録される。
【００３７】
「電話番号」は、契約者（ユーザ）に割り当てられる契約者番号または追加番号である。「ＩＰアドレス」、「ポート番号」は、そのユーザの端末に割り当てられるＩＰアドレスおよびポート番号である。「契約者番号」は、電話番号が追加番号である場合、その追加番号に対応する契約者番号である。「契約区分」は、契約済の電話番号が契約者番号、追加番号のうち、いずれであるかを示す区分である。
【００３８】
例えば、契約者「Ａ」に対し、契約者番号として「０３−３３１１−ＸＸ１０」、追加番号として「０３−３３１１−ＸＸ１１」が登録された場合、その契約者の「電話番号」欄には、「０３−３３１１−ＸＸ１０」および「０３−３３１１−ＸＸ１１」が記載される。「０３−３３１１−ＸＸ１１」に対応する「契約者番号」欄には、「０３−３３０１−ＸＸ１０」が記載される。「０３−３３１１−ＸＸ１０」に対応する「契約者区分」欄には、契約者番号であることが記載され、「０３−３３１１−ＸＸ１１」に対応する「契約者区分」欄には、追加番号であることが記載される。
【００３９】
図４に戻り、ユーザＡ（７）の契約者番号Ａ７ａまたは追加番号Ｂ７ｂから発信した接続要求信号は、ＮＡＴ５を経て一律ＳＳＣ４のセッション制御機能部４１を経て複数電話番号サービス制御機能部４２の複数電話番号サービス処理部４２１へ送られる。この複数電話番号サービス処理部４２１は、接続要求信号上の発信者情報と加入者登録部４３内の加入者テーブル４３１に登録されている電話番号、ＩＰアドレス、ポート番号を照合する。照合において合致しなければ、すなわち、加入者テーブル４３１上に登録がない電話番号であれば、接続要求信号は拒絶され、端末装置６へ接続拒否信号が返される。接続要求信号上の発信者情報との照合において、合致すれば、すなわち発信者番号情報の正当性が確認されれば、複数電話番号サービス処理部４２１・セッション制御機能部４１から着側のＩＳＣまたはＳＳＣ等への接続要求信号が送られ、ＳＳＣ４は、通常の呼接続の動作に入る。
【００４０】
ここで、複数電話番号サービスとは、一世帯あたりに複数の電話番号を契約することにより提供可能となるサービスであり、具体的には、「一括課金」、「一斉鳴動（代表応答）」、「指定番号の通知」などのサービスである。
【００４１】
「一括課金」は、追加番号を発信元とする呼についても、契約者番号を発信元とする呼として一括して課金するサービスである。
【００４２】
「一斉鳴動」は、契約者番号、追加番号のうち、いずれかに着信のあったとき、全ての電話機（７ａ等）を一斉に鳴動させるサービスである。
【００４３】
「指定番号の通知」は、追加番号からの発信であっても、契約者番号を発信元の電話番号として接続先に通知するサービスである。
【００４４】
例えば、複数電話番号サービス処理部４２１は、一括課金サービスを提供する場合、呼の切断後、発信者の番号や、通信時間などに基づいてＣＤＲを作成する。ここで、接続要求信号に発信者番号情報が付加されていた場合、複数電話番号サービス処理部４２１は、その情報の示す契約者番号を発信元の電話番号としてＣＤＲを作成する。
【００４５】
ＳＳＣ４の動作を、図６に示す複数電話番号サービスの動作フローチャートに沿って説明する。
【００４６】
ユーザＡ（７）の契約者番号Ａ７又は追加番号Ｂ７ｂ、Ｃ７ｃ、Ｄ７ｃから接続要求信号がＮＡＴ５を経てＳＳＣ４へ発信される。
【００４７】
その接続要求信号は、セッション制御機能部４１を経て、複数電話番号サービス制御機能部４２の複数電話番号サービス処理部４２１へ送られる。ここでは、接続要求信号上の発信者情報が加入者登録部４３内の加入者テーブル４３１に登録されているかどうかを判定する（ステップＳ１）。発信者の番号が登録されていなければ（ステップＳ１：ＮＯ）、発信不許可としてセッション制御機能部４１が接続拒否信号をＳＳＣ４から端末装置６へ返す（ステップＳ３）。この動作は、パターン１の追加番号発信の動作、またはパターン３の契約者番号と追加番号の発信動作に該当する。
【００４８】
発信者の番号が加入者テーブル４３１に登録されている場合（ステップＳ１：ＹＥＳ）、複数電話番号サービス処理部４２１は、発信された番号が追加番号発信であるか否かを判定し（ステップＳ５）、契約者番号発信の場合（ステップＳ５：ＮＯ）、発信許可としてセッション制御機能部４１が接続要求信号ＡをＳＳＣ４から着側のＩＳＣまたはＳＳＣ等へ送出する（ステップＳ７）。この動作は、パターン１、２の契約者番号発信の動作に該当する。
【００４９】
追加番号発信の場合（ステップＳ５：ＹＥＳ）、複数電話番号サービス制御機能部４２は、追加番号の当該発信番号情報を接続要求信号に付加し（ステップＳ９）、ＳＳＣ４は、発信許可としてセッション制御機能部４１が接続要求信号ＢをＳＳＣ４から次のＩＳＣまたはＳＳＣ等へ送出する（ステップＳ１１）。この動作は、パターン２の追加番号発信の動作に該当する。
【００５０】
図１に戻り、端末装置６は、発信者番号情報として、契約者番号Ａ７ａもしくは追加番号Ｂ７ｂ、Ｃ７ｃ、Ｄ７ｄなどを通知可能とし、その情報を接続要求信号上に含めた上でＳＳＣ４へ通知する。
【００５１】
ＳＳＣ４は、端末装置６に送信する接続要求信号に着信要求のあった端末を特定するための番号を設定する。例えば、ＳＳＣ４は、０から始まる不定式の国内番号「0AB〜J」を設定する。
【００５２】
契約者番号の流通について説明する。図７（ａ）に、ＮＮＩ（Network Network Interface：網インターフェース）、およびＵＮＩ（User Network Interface：端末インターフェース）の位置を示す。図７（ｂ）は、ＮＮＩ、ＵＮＩの設定条件をまとめた表である。
【００５３】
ユーザＡ（７）の追加番号Ｂ７ｂから発信した場合を例に説明する。
【００５４】
発番号の通知、非通知により、次の４項目に分類される。
【００５５】
（１）項番１に発番号を通知する場合。
【００５６】
（２）項番２に発番号を通知しない場合。
【００５７】
（３）項番３に１８４ダイヤルにより発番号非通知の場合。
【００５８】
（４）項番４に１８６ダイヤルにより発番号通知の場合。
【００５９】
ユーザＡ（７）の追加番号Ｂ７ｂから発信した場合、端末装置６は、発番号の通知、非通知に係わらず、接続要求信号の情報要素として、追加番号の「Ｂ」の情報を含めた上で、ＳＳＣ４へ送信する。
【００６０】
ＳＳＣ４は発番号の通知、非通知に係わらず、常にＮＮＩ上には、接続要求信号上の情報要素として、契約者番号「Ａ」と追加番号「Ｂ」の情報を含めた形で送信する。
【００６１】
より具体的には、ＳＳＣ４内の複数電話番号サービス制御機能部４２の中の複数電話番号サービス処理部４２１が、加入者登録部４３の加入者テーブル４３１と照合し、発信者番号の正当性の確認を行う。「Ａ」は加入者テーブル４３１の契約者番号から設定される。
【００６２】
従って、発番号の通知、非通知に係わらず、常にＮＮＩ上へは接続要求信号上の情報要素として、契約者番号「Ａ」が送信されるので、契約者番号「Ａ」を網全体に流通させることができる。
【００６３】
契約者番号の流通により、ＳＳＣ１０やＩＳＣ９は、その契約者番号を利用して、「ＩＮＳネット６４サービス」と同レベルかそれ以上の複数電話番号サービスを提供することができる。
【００６４】
例えば、ＳＳＣ１０は、追加番号からの発信を受け付けたとき、接続先に対し、その追加番号に対応する契約者番号を発信元の電話番号として通知する。
【００６５】
図８に、発信者番号情報の正当性が確認された場合の複数電話番号サービスのシーケンスを示す。
【００６６】
図８（ａ）は、発信がＮＧＮユーザＡ（７：複数電話番号サービス契約者）の契約者番号または追加番号で、着信がＰＳＴＮユーザＸ（１５）の場合のシーケンスである。
【００６７】
ＮＧＮユーザＡ（７：複数電話番号サービス契約者）の契約者番号または追加番号から発信すると、Ｔ１のステップでＳＳＣ４へ接続要求信号が送られ、Ｔ２のステップでＳＳＣ４内の加入者テーブル４３１と照合される。この照合において発信番号情報の正当性が確認された場合、Ｔ３のステップでＰＳＴＮユーザＸ（１５）へ接続要求信号が届く。
【００６８】
ＰＳＴＮユーザＸ（１５）からＴ４のステップでＳＳＣ４へ応答が返され、Ｔ５のステップで発信者であるＮＧＮユーザＡ（７：複数電話番号サービス契約者）の契約者番号または追加番号へ応答が届き、発信者（ＮＧＮユーザＡ：７の契約者番号または追加番号）と着信者（ＰＳＴＮユーザＸ：１５）との間でＴ６のステップで通話が開始される。通話の終了は、Ｔ７のステップ、Ｔ８のステップで実行される。
【００６９】
図８（ｂ）は、発信がＮＧＮのユーザＡ（７：複数電話番号サービス契約者）の契約者番号または追加番号で、着信がＮＧＮユーザＹ（１６）の場合のシーケンスである。
【００７０】
ＮＧＮユーザＡ（７：複数電話番号サービス契約者）の契約者番号または追加番号から発信すると、Ｔ１のステップでＳＳＣ４へ接続要求信号が送られ、Ｔ２のステップでＳＳＣ４内の加入者テーブル４３１と照合される。この照合において発信番号情報の正当性が確認された場合、Ｔ３１のステップでＩＳＣ９、ＳＳＣ１０を経由し、ＮＧＮユーザＹ（１６）へ接続要求信号が届く。
【００７１】
ＮＧＮユーザＹ（１６）からＴ４１のステップでＳＳＣ４へ応答が返され、Ｔ５のステップで発信者であるＮＧＮユーザＡ（７：複数電話番号サービス契約者）の契約者番号または追加番号へ応答が届き、発信者（ＮＧＮユーザＡ：７の契約者番号または追加番号）と着信者（ＮＧＮユーザＹ：１６）とでＴ６１のステップで通話が開始される。通話の終了は、Ｔ７１のステップ、Ｔ８のステップで実行される。
【００７２】
本実施形態によれば、パケット制御プレーンとセッション制御プレーンとにより構成され、セッション制御プレーンがＳＳＣとＩＳＣとの２段階の制御装置により実現されるＮＧＮにおいて、よりレベルの高い複数電話番号サービスを提供することが可能になる。
【００７３】
ＮＧＮにおいて、一契約者が複数の電話番号を持てるようになり、家族の中で個人ごとに電話番号を使い分けたり、ＦＡＸ専用の電話番号を持つ等の利用が可能となる。また、小規模事業者においては、複数の電話と１以上のＦＡＸの電話番号を使い分ける等の利用が可能となる。
【００７４】
ＩＮＳネット６４では、物理的な回線として２Ｂ＋Ｄの契約しかなく、複数電話番号の最大契約数は最大３電話番号までであるが、ＮＧＮでは、その制約をなくすることができ、契約者が利用形態に応じて柔軟に選択できる。
【００７５】
（第２の実施形態）
本発明の第２の実施形態について、図９〜図１２を参照して説明する。図９は、本実施形態のＳＳＣ４ａの構成を示すブロック図である。同図に示すように、ＳＳＣ４aは、セッション制御機能部４１と、複数電話番号サービス処理部４２１および複数電話番号テーブル登録部４２２を含む複数電話番号サービス制御機能部４２と、電話サービス加入判定部４４と、加入者テーブル４３１ａを持つ加入者登録部４３とから構成される。複数電話番号テーブル登録部４２２には、個別テーブル４２２１が登録される。
【００７６】
保守者が契約情報に基づき、加入者テーブル４３１ａを作成し、加入者登録部４３へ、且つ複数電話番号サービス登録用の個別テーブル４２２１を作成し、複数電話番号テーブル登録部４２２へ登録する。
【００７７】
加入者テーブル４３１ａのうち、ユーザＡの加入者テーブルの例を図１１に示す。同図を参照すると、加入者テーブル４３１ａには、「電話番号」、「ＩＰアドレス」、および「ポート番号」欄のみが設けられ、「契約者番号」および「契約区分」は設けられない。同様の加入者テーブルが、加入者ごとに、加入者登録部４３に登録される。
【００７８】
個別テーブル４２２１のうち、ユーザＡの個別テーブルの例を図１２に示す。同図を参照すると、個別テーブルには、「電話番号」、「ＩＰアドレス」、「ポート番号」、「契約者番号」および「契約区分」が設けられる。
【００７９】
図９に戻り、ユーザＡ（７）の契約者番号Ａ７ａまたは追加番号Ｂ７ｂから発信した接続要求信号は、ＮＡＴ５を経て一律ＳＳＣ４のセッション制御機能４１を経て電話サービス加入判定部４４へ送られる。電話サービス加入判定部４４は、接続要求信号上の発信者情報と加入者登録部４３内の加入者テーブル４３１ａに登録されている電話番号、ＩＰアドレス、ポート番号とを照合し、合致しなければ、すなわち、加入者テーブル４３１ａ上に登録がない電話番号であれば、接続要求信号を拒絶し、端末装置６へ接続拒否信号を返す。接続要求信号上の発信者情報と照合し、合致すれば、すなわち、加入者テーブル４３１ａ上に登録がある電話番号であれば、複数電話番号サービス制御機能部４２の複数電話番号サービス処理部４２１へ送られ、複数電話番号テーブル登録部４２２内の個別テーブル４２２１の電話番号、ＩＰアドレス、ポート番号と照合され、確認された後、すなわち、発信番号情報の正当性の確認後、複数電話番号サービス処理部４２１・セッション制御機能部４１から着側のＩＳＣから着側のＩＳＣあるいはＳＳＣ等へ接続要求信号が送られ、通常の呼接続の動作に入る。
【００８０】
ＳＳＣ４ａの動作を、図１２に示すフローチャートに沿って、説明する。同図を参照すると、ＳＳＣ４ａの動作は、ステップＳ１、Ｓ５の代わりにステップＳ１ａ、Ｓ５ａを実行する以外は、第１の実施形態のＳＳＣ４の動作と同様である。
【００８１】
ステップ１ａにおいて、電話サービス加入判定部４４は、接続要求信号上の発信者情報が加入者登録部４３内の加入者テーブル４３１ａに登録されているかどうかを判定する。
【００８２】
また、ステップＳ５ａにおいて、複数電話番号サービス処理部４２１は、個別テーブル４２２１を参照し、発信された番号が追加番号発信であるか否かを判定する。
【００８３】
以上説明したように、本実施形態によれば、ＳＳＣ４は、加入者テーブルを分割して管理するので、追加番号の追加、削除、変更に伴う、加入者テーブルの更新が容易となる。
【００８４】
（第３の実施形態）
本発明の第３の実施形態について、図１３を参照して説明する。同図は、本実施形態のシステム接続図である。同図を参照すると、本実施形態のＮＧＮ１には、課金装置２０が更に接続される。
【００８５】
本実施形態では、ＳＳＣ４は、追加番号からの発信を受け付けたとき、その追加番号に対応する契約者番号を加入者登録部４３から読み出す。また、ＳＳＣ１０などのＳＩＰサーバは、接続要求信号に発信番号情報が付加されていたら、その情報の示す契約者番号を記憶しておく。そして、ＳＳＣ４等は、呼の確立後、契約者番号を発信元の電話番号として、その呼についてＣＤＲ（Call Detail Record）を作成する。
【００８６】
課金装置２０は、ＳＳＣ４などから、ＣＤＲを収集し、それらのＣＤＲに基づいて契約者に課金するための課金情報を作成する。
【００８７】
以上説明したようにＳＳＣ４、１０などのＳＩＰサーバは、接続要求信号に発信番号情報が付加されていれば、その情報の示す契約者番号を発信元の電話番号としてＣＤＲを作成するので、課金装置２０は、そのＣＤＲに基づいて加入者に確実に課金することができる。
【００８８】
これに対して、発信番号情報を流通させない、一般的な通信システムでは、追加番号の登録を受け付けたＳＳＣ以外の各ＳＳＣ、ＩＳＣは、追加番号からの発信に対し、その追加番号に紐づけられた契約者番号を取得できず、その呼について、一括課金ができない。
【符号の説明】
【００８９】
１    ＮＧＮ
２    セッション制御プレーン
３    パケット転送プレーン
４、４ａ、１０    ＳＳＣ
５、１１    ＮＡＴ
６    端末装置
７    ユーザＡ
７ａ、７ｂ、７ｃ、７ｄ    電話端末
８、９  ＩＳＣ
１３    ＭＧ
１４    ＰＳＴＮ
１５    ユーザＸ
１６    ユーザＹ
２０    課金装置
４１    セッション制御機能部
４２    複数電話番号サービス制御機能部
４３    加入者登録部
４４    電話サービス加入判定部
４２１    複数電話番号サービス処理部
４２２    複数電話番号サービス登録部
４３１、４３１ａ    加入者テーブル
４２２１    個別テーブル
Ｓ１〜Ｓ１１、Ｔ１〜Ｔ８、Ｔ３１、Ｔ６１、Ｔ７１    ステップ
【図１】
2010219656.tif 000003
【図２】
2010219656.tif 000004
【図３】
2010219656.tif 000005
【図４】
2010219656.tif 000006
【図５】
2010219656.tif 000007
【図６】
2010219656.tif 000008
【図７】
2010219656.tif 000009
【図８】
2010219656.tif 000010
【図９】
2010219656.tif 000011
【図１０】
2010219656.tif 000012
【図１１】
2010219656.tif 000013
【図１２】
2010219656.tif 000014
【図１３】
2010219656.tif 000015